(57)【特許請求の範囲】
【請求項１】
便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通しており、
前記排水弁を開弁し、前記洗浄タンクに貯留した洗浄水を前記排水口から前記便器本体に流出する便器洗浄を開始すると、前記第１貯留部に貯留した洗浄水が一気に前記排水口から流出して前記第１貯留部の水位が急激に低下する一方、前記上貯留部に貯留した洗浄水は前記第１連通孔から前記下貯留部に流下して該上貯留部の水位はゆっくりと低下し、その後、該上貯留部に貯留した洗浄水の全てが該第１連通孔を通じて該下貯留部に流下すると、該下貯留部に貯留した洗浄水が一気に流出することを特徴とする洗浄タンク装置。
【請求項２】
前記第２貯留部は、前記洗浄タンク本体内に軸方向が上下方向になるように配置された筒体と、該筒体の上下方向の中間部の内側面に設けられた前記隔壁とにより形成されている請求項１記載の洗浄タンク装置。
【請求項３】
便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通しており、
前記隔壁は第２連通孔が設けられ、該第２連通孔は前記下貯留部に収納されたフロートにより閉塞可能であることを特徴とする洗浄タンク装置。
【請求項４】
便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通しており、
前記排水弁はフロート弁であり、該フロート弁の上方に前記第２貯留部が設けられ、
該フロート弁は、閉弁状態において少なくとも一部が前記下貯留部に収納されていることを特徴とする洗浄タンク装置。
【請求項５】
便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通しており、
前記第１連通孔には、開口面積を可変可能な絞り機構が設けられていることを特徴とする洗浄タンク装置。
【請求項６】
便鉢及び便鉢の下流側に連通する便器排水路を有する便器本体と、請求項１乃至５のいずれか１項記載の洗浄タンク装置とを備え、
該便鉢の上部開口の周縁に設けられたリム通水路に前記排水口が連通されていることを特徴とする水洗式便器。
【発明の詳細な説明】
【技術分野】
【０００１】
本発明は洗浄タンク装置及び水洗式便器に関する。
【背景技術】
【０００２】
特許文献１に従来の洗浄タンク装置が開示されている。この洗浄タンク装置は、便器本体に連通する排水口が設けられた洗浄タンク本体を備えている。排水口はフロート弁により開閉される。洗浄タンク本体には、給水装置から洗浄水が供給される。洗浄タンク本体内には、下端が洗浄タンク本体内の下方位置で開口し、フロート弁を囲む容器が配置されている。
【０００３】
この洗浄タンク装置では、フロート弁が開弁され、洗浄タンク本体に貯留された洗浄水が排水口から便器本体に流出して便器洗浄が行われる。洗浄タンク本体内の洗浄水の水位が低下し、容器の下端よりも低くなると、容器内に下端から空気が入り込む。これにより、容器内に貯留された洗浄水が一気に流出し、フロート弁が閉弁する。このため、この洗浄タンク装置は、便器洗浄の終了間際に便器本体へ供給される洗浄水の流量を増加させることができる。
【０００４】
【特許文献１】特開平５−６５７３０号公報
【発明の開示】
【発明が解決しようとする課題】
【０００５】
しかし、上記従来の洗浄タンク装置では、洗浄タンク本体内の洗浄水の水位が容器の下端よりも低くならないと容器内に貯留された洗浄水を流出させることができない。このため、便器洗浄の終了間際よりも前の段階で、容器内に貯留された洗浄水を流出させようとすると、容器の下端を上方にしなければならない。このようにするには、容器の上下方向の寸法を小さくしなければならず、容器内に貯留される洗浄水量が少なくなってしまう。このため、便器本体へ供給される洗浄水の流量の増加は僅かになるため、流量増加による汚物の排出性能の向上が図られ難い。
【０００６】
本発明は、上記従来の実情に鑑みてなされたものであって、便器洗浄を良好に行うことができる洗浄タンク装置及び水洗式便器を提供することを解決すべき課題としている。
【課題を解決するための手段】
【０００７】
本発明の洗浄タンク装置は、便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部の下端は該第１貯留部に連通しており、
前記排水弁を開弁し、前記洗浄タンクに貯留した洗浄水を前記排水口から前記便器本体に流出する便器洗浄を開始すると、前記第１貯留部に貯留した洗浄水が一気に前記排水口から流出して前記第１貯留部の水位が急激に低下する一方、前記上貯留部に貯留した洗浄水は前記第１連通孔から前記下貯留部に流下して該上貯留部の水位はゆっくりと低下し、その後、該上貯留部に貯留した洗浄水の全てが該第１連通孔を通じて該下貯留部に流下すると、該下貯留部に貯留した洗浄水が一気に流出することを特徴とする。
【０００８】
この洗浄タンク装置では、排水弁が開弁され、洗浄タンク本体に貯留された洗浄水が排水口から便器本体に流出して便器洗浄が行われる。この便器洗浄の初期においては、主に第１貯留部に貯留された洗浄水が便器本体に流出する。これは、第２貯留部において、上貯留部に洗浄水が貯留されている間は、上貯留部に貯留された洗浄水が第１連通孔を通じて下貯留部に流下する流量と同じ流量だけが下貯留部から流出可能であり、流出する洗浄水が少量となるためである。
【０００９】
その後、上貯留部に貯留された洗浄水が全て第１連通孔を通じて下貯留部に流下すると、洗浄水に比べて空気は第１連通孔を通過する際の流動抵抗が小さいため、第１連通孔から下貯留部に空気が一気に流入し、下貯留部に貯留された洗浄水は一気に流出する。このため、排水口から便器本体に流出する洗浄水の流量を増加させることができる。
【００１０】
このように、上貯留部の容積及び第１連通孔の開口面積を増減させることにより、排水口から便器本体に流出する洗浄水の流量を増加させるタイミングを変更することができる。また、下貯留部の容積を増減させることにより、便器本体に流出する洗浄水の流量の増加量を変更することができる。このため、便器本体に流出する洗浄水を便器洗浄に最適な流量変化にすることができる。
【００１１】
したがって、本発明の洗浄タンク装置は、便器洗浄を良好に行うことができる。
【００１２】
第２貯留部は、洗浄タンク本体内に軸方向が上下方向になるように配置された筒体と、筒体の上下方向の中間部の内側面に設けられた隔壁とにより形成され得る。この場合、洗浄タンク本体内に隔壁を有する筒体を配置するだけで、洗浄タンク本体は第１貯留部と第２貯留部とを容易に有することができる。また、既存の洗浄タンク本体に対しても、筒体を後付けすることにより、便器洗浄性能を向上させることができる。
【００１３】
本発明の他の洗浄タンク装置は、便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通しており、
前記隔壁は第２連通孔が設けられ、該第２連通孔は前記下貯留部に収納されたフロートにより閉塞可能であることを特徴とする。
この場合、上貯留部に貯留された洗浄水の全てが第１連通孔を通じて下貯留部に流下すると、下貯留部に貯留された洗浄水の水位が低下し始める。これにより、フロートが下降し、第２連通孔が開放されるため、下貯留部に第２連通孔からも空気が流入する。このため、下貯留部に貯留された洗浄水がさらに勢いよく流出する。このため、便器本体に流出する洗浄水の流量の増加がより大きくなるため、汚物の排出性能をより向上させることができる。
【００１４】
本発明の他の洗浄タンク装置は、便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通しており、
前記排水弁はフロート弁であり、該フロート弁の上方に前記第２貯留部が設けられ、
該フロート弁は、閉弁状態において少なくとも一部が前記下貯留部に収納されていることを特徴とする。
この場合、フロート弁の弁体が引き上げられた際、弁体が下貯留部に収納される。このため、下貯留部に貯留された洗浄水が流出するまで弁体を浮上させておくことができる。よって、下貯留部に貯留された洗浄水の流出に伴い、フロート弁は閉弁するため、下貯留部に貯留された洗浄水のほとんどを排水口から流出させることができる。
【００１５】
本発明の他の洗浄タンク装置は、便器本体に連通する排水口が設けられた洗浄タンク本体と、該排水口を開閉する排水弁と、該洗浄タンク本体に洗浄水を供給する給水装置とを備えた洗浄タンク装置において、
前記洗浄タンク本体は、第１貯留部と、第１連通孔が貫設された隔壁により、上貯留部及び下貯留部の上下に区画された第２貯留部とを有し、
該下貯留部は該第１貯留部に連通しており、
前記第１連通孔には、開口面積を可変可能な絞り機構が設けられていることを特徴とする。
この場合、上貯留部に貯留された洗浄水が第１連通孔を通じて下貯留部に流下し終えるまでの時間を変更することができる。このため、排水口から便器本体に流出する洗浄水の流量を増加させるタイミングを容易に変更することができる。
【００１６】
本発明の水洗式便器は、便鉢及び便鉢の下流側に連通する便器排水路を有する便器本体と、前記洗浄タンク装置とを備え、
該便鉢の上部開口の周縁に設けられたリム通水路に前記排水口が連通されていることを特徴とする。
【００１７】
この水洗式便器では、便器洗浄の初期に第１貯留部に貯留された洗浄水がリム通水路に流出する。このため、大流量の洗浄水が便鉢及び便器排水路に流入し、サイホン作用を発生させることができる。この後、リム通水路へ流出する洗浄水の流量は低下するが、所定のタイミングで流量を増加させることができる。これにより、便鉢内に残留する浮遊汚物を効果的に排出することができる。
【発明を実施するための最良の形態】
【００１８】
以下、本発明の洗浄タンク装置を備えた水洗式便器を具体化した実施例１〜５を図面を参照しつつ説明する。
【実施例１】
【００１９】
実施例１の水洗式便器は、図１に示すように、便器本体１と洗浄タンク装置１０とを備えている。便器本体１は、便鉢２と、便鉢２の下流側に連通する便器排水路３とを有している。便鉢２と、便器排水路３とにより封水部４が形成されている。便鉢２の上部開口の周縁には、リム通水路５が形成されている。便器排水路３の下流端には、径寸法を狭める絞り部６が設けられている。
【００２０】
洗浄タンク装置１０は、排水口１２が下面に設けられた洗浄タンク本体１１と、排水口１２を開閉する排水弁であるフロート弁２０と、洗浄タンク本体１１に洗浄水を供給する給水装置であるボールタップ３０とを備えている。
【００２１】
洗浄タンク本体１１の排水口１２は、便器本体１のリム通水路５に洗浄水路７を介して連通されている。洗浄タンク本体１１には、後述するフロート弁２０よりも下流側の洗浄水路７に一端が連通され、他端が洗浄タンク本体１１の洗浄水の最高水位Ｌ１よりも上方に伸びて開口するオーバーフロー管１３が設けられている。
【００２２】
洗浄タンク本体１１は、第１貯留部１４と、第２貯留部１５とを有している。第２貯留部１５は、軸方向が上下方向となるように洗浄タンク本体１１内に配置された筒体１９内に形成されている。筒体１９内は、上下方向の中間部の内側面に設けられ、第１連通孔１６Ａが貫設された隔壁１６により、上貯留部１７と下貯留部１８とに区画されている。筒体１９の下端開口は、洗浄タンク本体１１の下面近傍で下方に向いて開口し、下貯留部１８と第１貯留部１４とは連通している。また、筒体１９の上端開口は、洗浄タンク本体１１内に貯留される洗浄水の最高水位Ｌ１よりも下で上方に向いて開口している。このように、第１貯留部１４と第２貯留部１５とを洗浄タンク本体１１に容易に形成することができる。また、既存の洗浄タンク本体に対しても、筒体１９を取り付けることにより、第１貯留部１４と第２貯留部１５とを容易に形成することができる。
【００２３】
フロート弁２０は、玉鎖２３が連結された弁体であるゴム玉２１と、排水口１２に設けられた弁座２２とを有している。玉鎖２３の上端は、図示しない、洗浄レバーに連結されている。洗浄レバーが操作されると、ゴム玉２１は引き上げられ、排水口１２から洗浄水が流出する。
【００２４】
ボールタップ３０は、先端が洗浄タンク本体１１内に洗浄水を吐水する吐水口３１Ａである給水管３１と、給水管３１の途中に設けられた開閉弁３２と、先端が浮玉３３に接続され、開閉弁３２を開閉するアーム３４とから構成されている。給水管３１の上流端は便器本体１が据え置かれるトイレルームに引き出された水道管に接続された図示しない止水栓に接続されている。洗浄タンク本体１１内に貯留された洗浄水の水位が最高水位Ｌ１より低下し、浮玉３３が下降すると、開閉弁３２は開弁され、吐水口３１Ａから洗浄水が洗浄タンク本体１１内に吐水される。
【００２５】
このような構成を有する実施例１の水洗式便器における便器洗浄について説明する。
【００２６】
便器洗浄の待機状態では、図１に示すように、洗浄タンク本体１１には、洗浄水が最高水位Ｌ１まで貯留されている。このため、ボールタップ３０の開閉弁３２は閉弁されている。便器本体１の封水部４は洗浄水で水封されている。
【００２７】
この水洗式便器の使用者が用便後、封水部４に存在する沈降汚物Ｅ１やトイレットペーパー等の浮遊汚物Ｅ２を便器本体１から排出するために図示しない洗浄レバーが操作され、便器洗浄が開始される。
【００２８】
図２に示すように、洗浄レバーが操作されると、ゴム玉２１が玉鎖２３により引き上げられ、弁座２２から浮上し、排水口１２からリム通水路５を介して便鉢２内に洗浄水が流出する。これにより、第１貯留部１４の水位は低下し始める。これにより、ボールタップ３０の浮球３３も下降するため、開閉弁３２が開弁され、ボールタップ３０の吐水口３１Ａから洗浄水が洗浄タンク本体１１内に吐水される。なお、ボールタップ３０の吐水口３１Ａから供給される洗浄水の流量よりも、排水口１２から排出される洗浄水の流量の方が多いため、洗浄タンク本体１１内の洗浄水の水位は低下し続ける。
【００２９】
図５の実線Ａに示すように、便器洗浄の開始直後（Ｓ〜Ｔ時点）は、排水口１２から流出する洗浄水の流量は急激に増加する。これは、図２に示すように、洗浄タンク本体１１の第１貯留部１４に貯留された洗浄水が一気に排水口１２から流出するためである。第１貯留部１４の水位Ｌ２０は急激に低下する一方、第２貯留部１５の上貯留部１７に貯留された洗浄水は、第１連通孔１６Ａの流動抵抗を受けながら下貯留部１８に流下するため、上貯留部１７の水位Ｌ３０はゆっくりと低下する。
【００３０】
Ｓ〜Ｔ時点において、排水口１２から流出した洗浄水は、リム通水路５から便鉢２内に流下し、便鉢２内の洗浄水の水位を上昇させる一方、封水部４を介して便器排水路３に流入する。便器排水路３に流入した洗浄水は、下流端に設けられた絞り部６により、飛散し、便器排水路３の下流端を塞ぐように水膜を形成する。これにより、便器排水路３内に洗浄水が増加し、サイホン作用が発生する。サイホン作用により、沈降汚物Ｅ１等は封水部４から便器排水路３の下流側に確実に排出される。
【００３１】
第１貯留部１４の容量は、図５に示すように、サイホン作用が発生した（Ｔ時点）後に排水口１２から流出する洗浄水の流量が減少するように設定されており、第２貯留部１５の上貯留部１７に貯留された洗浄水の全てが第１連通孔１６Ａを通じて下貯留部１８に流下するまで（Ｕ時点）、便鉢２内の水位は低下する。
【００３２】
Ｔ〜Ｕ時点において、便鉢２内の水位が低下する間に、図３に示すように、沈降汚物Ｅ１等は便器本体１から排出される。一方、トイレットペーパー等の浮遊汚物Ｅ２は、便鉢２の下部に残留してしまうことがある。この浮遊汚物Ｅ２を排出するために、リム通水路５から便鉢２内に流下する洗浄水を増水させる。これにより、浮遊汚物Ｅ２を便器排水路３へ押し込むようにして便鉢２から排出することができる。
【００３３】
つまり、図５に示すＵ時点において、第２貯留部１５の上貯留部１７の洗浄水の全てが第１連通孔１６Ａを通じて下貯留部１８に流下する。すると、第１連通孔１６Ａから下貯留部１８に空気が流入可能となり、下貯留部１８に貯留された洗浄水が一気に流出する。このため、浮遊汚物Ｅ２は便器排水路３へ押し込まれるように排出される。また、便鉢２内の水位が低下しすぎることにより、封水が破封して、サイホン作用が終了してしまう前に便鉢２内に流出する洗浄水の流量が増加するため、Ｕ〜Ｘ時点において、図４に示すように、便鉢２内の水位は僅かに上昇する。これにより、サイホン作用は継続され、浮遊汚物Ｅ２を便鉢２内から確実に排出することができる。
【００３４】
その後、図５に示すように、Ｘ〜Ｙ時点において、排水口１２から流出する洗浄水の流量が減少するため、便鉢２内の水位は低下し、Ｙ時点において封水が破封してサイホン作用が終了する。Ｙ〜Ｚ時点において、排水口１２からリム通水路５を介して便鉢２内に流出した洗浄水により、便鉢２内の水位は上昇し、覆水が完了する。その後、ゴム玉２１は弁座２２に着座し、排水口１２は封鎖される。タンク本体１１内には、水位が最高水位Ｌ１になるまでボールタップ３０により洗浄水が供給される。これにより、水洗式便器は便器洗浄の待機状態に復帰する。
【００３５】
洗浄タンク本体１１が第２貯留部１５を有しない場合の排水口１２からの流出流量の変化を図５の点線Ｂで示す。実施例１の洗浄タンク装置１０の排水口１２からの流出流量の変化と比較すると、サイホン作用が発生した後において、実施例１の洗浄タンク本体１１の方が流出流量の少ない時間帯がある。この減少した分の洗浄水を実施例１の洗浄タンク装置１０は便器洗浄の途中であるＵ時点以降の増水に利用している。このため、実施例１の洗浄タンク装置１０は、便器洗浄に要する全洗浄水量を増加させることなく、便器洗浄の途中で排水口１２からの流出流量を増加させ、汚物の排出をより確実に行なうことができる。
【００３６】
したがって、実施例１の洗浄タンク装置１０を備えた水洗式便器は、便器洗浄を良好に行うことができる。
【実施例２】
【００３７】
実施例２の水洗式便器は、図６に示すように、便器本体１と洗浄タンク装置４０とを備えている。洗浄タンク装置４０は、洗浄タンク本体１１と、フロート弁２０と、ボールタップ３０とを備えている。
【００３８】
洗浄タンク本体１１は、第１貯留部１４と、第２貯留部１５とを有している。第２貯留部１５は、軸方向が上下方向となるように洗浄タンク本体１１内に配置された筒体１９内に形成されている。筒体１９内は、上下方向の中間部の内側面に設けられ、第１連通孔４６Ａ及び第２連通孔４６Ｂが貫設された隔壁４６により、上貯留部１７と下貯留部１８とに区画されている。
【００３９】
第２連通孔４６Ｂの下方の下貯留部１８には、球状のフロート４１が収納されている。下貯留部１８の第２連通孔４６Ｂの下方には、フロート４１が第２連通孔４６Ｂの下方に位置するように規制する規制壁４７が設けられている。規制壁４７は、筒体１９の内側面から伸び、開口４７Ｈを有する水平壁４７Ａと、水平壁４７Ａの端部から上方に伸びた垂直壁４７Ｂとから構成されている。他の構成は、実施例１と同様であり、同一の構成には同一の符号を付し、詳細な説明は省略する。
【００４０】
実施例２の水洗式便器における便器洗浄について説明する。
【００４１】
便器洗浄の待機状態では、洗浄タンク本体１１には、洗浄水が最高水位Ｌ１まで貯留されている。このため、第２連通孔４６Ｂはフロート４１により閉塞されている。ボールタップ３０の開閉弁３２は閉弁されている。便器本体１の封水部４は洗浄水で水封されている。
【００４２】
この水洗式便器の使用者が用便後、封水部４に存在する沈降汚物Ｅ１やトイレットペーパー等の浮遊汚物Ｅ２を便器本体１から排出するために図示しない洗浄レバーが操作され、便器洗浄が開始される。
【００４３】
図７に示すように、洗浄レバーが操作されると、ゴム玉２１が玉鎖２３により引き上げられ、弁座２２から浮上し、排水口１２からリム通水路５を介して便鉢２内に洗浄水が流出する。これにより、第１貯留部１４の水位は低下し始める。これにより、ボールタップ３０の浮玉３３も下降するため、開閉弁３２が開弁され、ボールタップ３０の吐水口３１Ａから洗浄水が洗浄タンク本体１１内に吐水される。なお、ボールタップ３０の吐水口３１Ａから供給される洗浄水の流量よりも、排水口１２から排出される洗浄水の流量の方が多いため、洗浄タンク本体１１内の洗浄水の水位は低下し続ける。
【００４４】
便器洗浄の開始直後は、実施例１の水洗式便器と同様、排水口１２から流出する洗浄水の流量は急激に増加し、サイホン作用が発生する。これにより、沈降汚物Ｅ１等は封水部４から便器排水路３の下流側に確実に排出される。
【００４５】
サイホン作用が発生した後は、排水口１２から流出する洗浄水の流量は減少し、第２貯留部１５の上貯留部１７に貯留された洗浄水の全てが第１連通孔４６Ａを通じて下貯留部１８に流下するまで、便鉢２内の水位は低下する。
【００４６】
この間、図８に示すように、沈降汚物Ｅ１等は便器本体１から排出される。一方、トイレットペーパー等の浮遊汚物Ｅ２は、便鉢２の下部に残留してしまうことがある。この浮遊汚物Ｅ２を排出するために、リム通水路５から便鉢２内に流下する洗浄水を増水させる。これにより、浮遊汚物Ｅ２を便器排水路３へ押し込むようにして便鉢２から排出することができる。
【００４７】
つまり、第２貯留部１５の上貯留部１７の洗浄水の全てを第１連通孔４６Ａを通じて下貯留部１８に流下させる。すると、第１連通孔４６Ａから下貯留部１８に空気が流入可能となるとともに、下貯留部１８の水位Ｌ３１が低下し、フロート４１が下降する。このため、第２連通孔４６Ｂが開放され、第２連通孔４６Ｂからも下貯留部１８に空気が流入可能となる。これにより、下貯留部１８に貯留された洗浄水がさらに勢いよく流出する。このため、浮遊汚物Ｅ２は便器排水路３へより強力に押し込まれるように排出される。また、便鉢２内の水位が低下しすぎることにより、封水が破封して、サイホン作用が終了してしまう前に便鉢２内に流出する洗浄水の流量が増加するため、図９に示すように、便鉢２内の水位は僅かに上昇する。これにより、サイホン作用は継続され、浮遊汚物Ｅ２を便鉢２から確実に排出することができる。
【００４８】
その後、実施例１の水洗式便器と同様、排水口１２から流出する洗浄水の流量が減少するため、便鉢２内の水は低下し、封水が破封してサイホン作用が終了する。その後に排水口１２からリム通水路５を介して便鉢２内に流出した洗浄水により、便鉢２内の水位は上昇し、覆水が完了する。その後、ゴム玉２１は弁座２２に着座し、排水口１２は封鎖される。タンク本体１１内には、水位が最高水位Ｌ１になるまでボールタップ３０により洗浄水が供給される。これにより、水洗式便器は便器洗浄の待機状態に復帰する。
【００４９】
実施例２の洗浄タンク装置４０を備えた水洗式便器も、実施例１の水洗式便器と同様、便器洗浄に要する全洗浄水量を増加させることなく、便器洗浄の途中で排水口１２からの流出流量を増加させ、汚物の排出をより確実に行うことができる。
【００５０】
したがって、実施例２の洗浄タンク装置４０を備えた水洗式便器も、便器洗浄を良好に行うことができる。
【実施例３】
【００５１】
実施例３の水洗式便器の洗浄タンク装置５０は、図１０に示すように、フロート弁２０の上方に第２貯留部１５を形成する筒体１９が配置されている。フロート弁２０は、閉弁状態においてゴム玉２１の一部が下貯留部１８に収納されている。他の構成は、実施例１と同様であり、図示を省略するとともに、同一の構成には同一の符号を付し、詳細な説明を省略する。
【００５２】
この洗浄タンク装置５０を備えた水洗式便器では、ゴム玉２１が引き上げられた際、ゴム玉２１が下貯留部１８に収納される。このため、下貯留部１８に貯留された洗浄水が流出されるまで、ゴム玉２１を浮上させておくことができる。よって、下貯留部１８に貯留された洗浄水の流出に伴い、フロート弁２０は閉弁するため、下貯留部１８に貯留された洗浄水のほとんどを排水口１２からリム通水路を介して便鉢内に流出させることができる。また、この水洗式便器の便器洗浄は、実施例１の水洗式便器と同様であり、他の作用効果は実施例１と同様である。
【００５３】
したがって、実施例３の洗浄タンク装置５０を備えた水洗式便器も、便器洗浄を良好に行うことができる。
【実施例４】
【００５４】
実施例４の水洗式便器の洗浄タンク装置６０では、図１１に示すように、上貯留部１７と下貯留部１８とを区画する隔壁６６に貫設された第１連通孔６６Ａが筒体１９の内側面の近傍に設けられている。また、第１連通孔６６Ａの上方には、筒体１９の上部開口端の一部から伸び、下端が開口したネジ孔６３を有する上部壁６２が設けられている。ネジ孔６３には、軸部にパッキン６１Ａが嵌められ、先端が尖ったボルト６１が螺合している。ボルト６１の先端部は、ネジ孔６３の下端開口から突出し、第１連通孔６６Ａに対して進退可能である。このため、図１２に示すように、ボルト６１は、ねじ込み具合により第１連通孔６６Ａの開口面積を無段階で微調整可能である絞り機構を構成している。他の構成は、実施例１と同様であり、図示を省略するとともに、同一の構成には同一の符号を付し、詳細な説明を省略する。
【００５５】
この洗浄タンク装置６０を備えた水洗式便器では、洗浄タンク本体１１の上方からボルト６１のねじ込み具合を操作して、第１連通孔６６Ａの開口面積を微調整することができる。これにより、上貯留部１７に貯留された洗浄水が第１連通孔６６Ａを通じて下貯留部１８に流下し終えるまでの時間を変更することができる。このため、排水口１２からリム通水路５を介して便鉢２に流出する洗浄水の流量を増加させるタイミングを便器洗浄に最適にすることができる。また、この水洗式便器の便器洗浄は、実施例１の水洗式便器と同様であり、他の作用効果は実施例１と同様である。
【００５６】
したがって、実施例４の洗浄タンク装置６０を備えた水洗式便器も、便器洗浄を良好に行うことができる。
【実施例５】
【００５７】
実施例５の水洗式便器の洗浄タンク装置７０では、図１３及び図１４に示すように、上貯留部１７と下貯留部１８とを区画する隔壁７６に湾曲した長円形状の第１連通孔７６Ａが貫設されている。隔壁７６には、第１連通孔７６Ａに隣接して設けられた貫通孔７６Ｂに軸部７２を挿通させた遮蔽板７１が取り付けられている。遮蔽板７１は、第１連通孔７６Ａに重なるように軸部７２を中心に回動可能である。このため、図１４に示すように、遮蔽板７１は、回動具合により第１連通孔７６Ａの開口面積を無段階で調整可能である絞り機構を構成している。軸部７２の上部表面には、回動具合が目視できるように矢印が印刷されている。他の構成は、実施例１と同様であり、図示を省略するとともに、同一の構成には同一の符号を付し、詳細な説明を省略する。
【００５８】
この洗浄タンク装置７０を備えた水洗式便器では、洗浄タンク本体１１の上方から遮蔽板７１の回動具合を調整して、第１連通孔７６Ａの開口面積を微調整することができる。これにより、上貯留部１７に貯留された洗浄水が第１連通孔７６Ａを通じて下貯留部１８に流下し終えるまでの時間を変更することができる。このため、排水口１２からリム通水路を介して便鉢に流出する洗浄水の流量を増加させるタイミングを便器洗浄に最適にすることができる。また、この水洗式便器の便器洗浄は、実施例１の水洗式便器と同様であり、他の作用効果は実施例１と同様である。
【００５９】
したがって、実施例５の洗浄タンク装置７０を備えた水洗式便器も、便器洗浄を良好に行うことができる。
【００６０】
以上において、本発明を実施例１〜５に即して説明したが、本発明は上記実施例に制限されるものではなく、その趣旨に逸脱しない範囲で適宜変更して適用できることはいうまでもない。
【００６１】
例えば、筒体１９は第１貯留部１４と区画することができればよいため、その外形状は、円形状、角形状等の任意の形状であってもよい。また、筒体１９は、上貯留部１７及び下貯留部１８の容量が所定の大きさに確保することができれば良いため、上下方向で形状が変化したり、上下方向の寸法が左右（前後）方向の寸法よりも短くなったりしてもよい。
第２貯留部１５を洗浄タンク本体１１の側壁を利用して洗浄タンク本体１１と一体的に形成してもよい。
排水口１２を開閉するフロート弁は電気的に駆動されてもよい。この場合、洗浄レバーは、フロート弁を電気的に駆動する駆動装置のスイッチにしてもよい。
洗浄タンク本体１１に洗浄水を供給する給水装置は電気的に駆動されてもよい。
便器排水路３の下流端に絞り部６を設けなくてもよい。また、便器排水路３の下流端には、洗浄水が滞留する滞留部を設けてもよい。
便器本体１にジェット口を設け、洗浄タンク本体１１の排水口１２から流出する洗浄水をジェット口から便器排水路３に向けて噴出するようにしてもよい。
【図面の簡単な説明】
【００６２】
【図１】実施例１の水洗式便器を示す模式図である。
【図２】実施例１の水洗式便器の便器洗浄を示す模式図である。
【図３】実施例１の水洗式便器の便器洗浄を示す模式図である。
【図４】実施例１の水洗式便器の便器洗浄を示す模式図である。
【図５】実施例１の洗浄タンク本体の排水口からの流出流量を示すグラフである。
【図６】実施例２の水洗式便器を示す模式図である。
【図７】実施例２の水洗式便器の便器洗浄を示す模式図である。
【図８】実施例２の水洗式便器の便器洗浄を示す模式図である。
【図９】実施例２の水洗式便器の便器洗浄を示す模式図である。
【図１０】実施例３の洗浄タンク装置を示す概略図である。
【図１１】実施例４の洗浄タンク装置を示す概略図である。
【図１２】実施例４の洗浄タンク装置の一部拡大図である。
【図１３】実施例５の洗浄タンク装置を示す概略図である。
【図１４】実施例５の洗浄タンク装置の一部拡大図である。
【符号の説明】
【００６３】
１…便器本体
１０、４０、５０、６０、７０…洗浄タンク装置
１１…洗浄タンク本体
１２…排水口
１４…第１貯留部
１５…第２貯留部
１６、４６、６６、７６…隔壁
１６Ａ、４６Ａ、６６Ａ、７６Ａ…第１連通孔
４６Ｂ…第２連通孔
１７…上貯留部
１８…下貯留部
１９…筒体
２０…フロート弁（排水弁）
３０…ボールタップ（給水装置）
４１…フロート
６１…ボルト（絞り機構）
７１…遮蔽板（絞り機構）
【図１】
0005456273.tif 000002
【図２】
0005456273.tif 000003
【図３】
0005456273.tif 000004
【図４】
0005456273.tif 000005
【図５】
0005456273.tif 000006
【図６】
0005456273.tif 000007
【図７】
0005456273.tif 000008
【図８】
0005456273.tif 000009
【図９】
0005456273.tif 000010
【図１０】
0005456273.tif 000011
【図１１】
0005456273.tif 000012
【図１２】
0005456273.tif 000013
【図１３】
0005456273.tif 000014
【図１４】
0005456273.tif 000015